(57)【特許請求の範囲】
【請求項１】
収音機器で収音した音響から抽出される指示情報に応じて動作可能な外部機器に提供される指示情報を含む変調信号と、再生対象音を表す再生信号とを含有する音響信号を再生装置から受信する入力部と、
前記入力部が受信した音響信号のうち前記再生信号の周波数帯域を包含する第１周波数帯域を通過させるフィルタと、
前記入力部が受信した音響信号のうち少なくとも前記変調信号に応じた音響を放音する放音部と、
前記フィルタによる処理後の音響信号をヘッドホンに出力する出力部と
を具備する放音装置。
【請求項２】
収音機器で収音した音響から抽出される指示情報に応じて動作可能な外部機器に提供される指示情報を含む変調信号と、再生対象音を表す再生信号とを含有する音響信号を再生装置から受信する入力部と、
前記入力部が受信した音響信号のうち前記変調信号の周波数帯域を包含する第２周波数帯域を通過させるフィルタと、
前記フィルタによる処理後の信号に応じた音響を放音する放音部と、
前記入力部が受信した音響信号のうち少なくとも前記再生信号をヘッドホンに出力する出力部と
を具備する放音装置。
【請求項３】
前記変調信号の周波数帯域は、前記再生信号の周波数帯域を上回る
請求項１または請求項２の放音装置。
【請求項４】
収音機器で収音した音響から抽出される指示情報に応じて動作可能な外部機器に提供される指示情報を含む変調信号と、再生対象音を表す再生信号とを含有する音響信号を再生装置から受信する入力部と、
前記入力部が受信した音響信号のうち前記再生信号の周波数帯域を包含する第１周波数帯域を通過させるフィルタと、
前記入力部が受信した音響信号のうち少なくとも前記変調信号に応じた音響を放音する第１放音部と、
利用者の耳に装着され、前記フィルタによる処理後の音響信号に応じた音響を放音する第２放音部と
を具備するヘッドホン。
【請求項５】
収音機器で収音した音響から抽出される指示情報に応じて動作可能な外部機器に提供される指示情報を含む変調信号と、再生対象音を表す再生信号とを含有する音響信号を再生装置から受信する入力部と、
前記入力部が受信した音響信号のうち前記変調信号の周波数帯域を包含する第２周波数帯域を通過させるフィルタと、
前記フィルタによる処理後の信号に応じた音響を放音する第１放音部と、
利用者の耳に装着され、前記入力部が受信した音響信号のうち少なくとも前記再生信号に応じた音響を放音する第２放音部と
を具備するヘッドホン。
【発明の詳細な説明】
【技術分野】
【０００１】
本発明は、音響信号を処理する技術に関する。
【背景技術】
【０００２】
空気振動としての音響を伝送媒体として情報を伝送する音響通信が従来から提案されている。音響通信では、再生音に応じた音響信号のうち人間が殆ど知覚できない高域側の周波数帯域に配信情報を含有する音響を放音することで、端末装置に情報が配信される。配信情報は、利用者による聴取の目的となる再生対象音に混合されるから、利用者は、音楽や音声等の再生対象音を聴取する一方で配信情報を取得することが可能である。例えば特許文献１には、拡散処理したデータ符号Ｄを、音響信号Ｓの高音域に重畳して合成信号を出力する構成が開示されている。
【先行技術文献】
【特許文献】
【０００３】
【特許文献１】特開２０１０−２８８２４６号公報
【発明の概要】
【発明が解決しようとする課題】
【０００４】
ところで、利用者がヘッドホンを利用して再生する場合がある。しかしながら、ヘッドホンで音響を再生する場合には変調信号に応じた音響が外部に放音されないから、音響通信の相手先の機器に音響が到達せず、音響通信を実行できない。以上の事情を考慮して、本発明は、ヘッドホンを装着した状態での再生音の聴取と、利用者が保有する機器における音響通信とを並列的に実現することを目的とする。
【課題を解決するための手段】
【０００５】
以上の課題を解決するために、本発明の好適な態様に係る放音装置は、収音機器で収音した音響から抽出される指示情報に応じて動作可能な外部機器に提供される指示情報を含む変調信号と、再生対象音を表す再生信号とを含有する音響信号を再生装置から受信する入力部と、前記入力部が受信した音響信号のうち少なくとも前記変調信号に応じた音響を放音する放音部と、前記入力部が受信した音響信号のうち少なくとも前記再生信号をヘッドホンに出力する出力部とを具備する。以上の構成では、入力部によって受信された音響信号のうち少なくとも変調信号に応じた音響は放音部によって放音される一方、音響信号のうち少なくとも再生信号は出力部によってヘッドホンに出力される。したがって、利用者はヘッドホンを耳に装着して、ヘッドホンから放音された再生音を聴取する一方で、指示情報に応じて動作する機器では変調信号に応じた音響を収音することが可能である。すなわち、以上の構成によれば、ヘッドホンを装着した状態での再生音の聴取と、利用者が保有する機器における音響通信とを並列的に実行することが可能になる。
【０００６】
本発明の好適な態様において、前記変調信号の周波数帯域は、前記再生信号の周波数帯域を上回る。例えば、再生対象音（例えば音楽や動画等）を表す再生信号の周波数帯域は、ヘッドホンによる放音が可能な周波数帯域であり、かつ、利用者が通常の環境で聴取する音響（音声や楽音）の周波数帯域（例えば可聴域内の約１６ｋＨｚ以下）の範囲内に包含され、変調信号の周波数帯域は、再生信号の周波数帯域（例えば可聴域）を上回る高域側の周波数帯域（例えば非可聴域内の約１８ｋＨｚ以上かつ２０ｋＨｚ以下）に包含される。以上の構成によれば、再生信号と変調信号とを含む音響信号がヘッドホンに出力されても、変調信号の周波数帯域は、再生信号の周波数帯域を上回る高域の周波数帯域に包含されるから、利用者は違和感や不快感を知覚することなくヘッドホンを装着して再生信号を聴取することが可能である。
【０００７】
本発明の好適な態様において、前記入力部が受信した音響信号のうち前記再生信号の周波数帯域を包含する第１周波数帯域を通過させる第１フィルタを具備し、前記出力部は、前記第１フィルタによる処理後の音響信号を前記ヘッドホンに出力する。以上の構成では、再生信号の周波数帯域を包含する第１周波数帯域の音響成分が選択的に第１フィルタを通過するから、変調信号に応じた音響の聴取による違和感や不快感を知覚することなく、利用者が再生対象音を聴取できるという利点がある。
【０００８】
本発明の好適な態様において、前記入力部が受信した音響信号のうち前記変調信号の周波数帯域を包含する第２周波数帯域を通過させる第２フィルタを具備し、前記放音部は、前記第２フィルタによる処理後の信号に応じた音響を放音する。以上の構成では、変調信号の周波数帯域を包含する第２周波数帯域の音響成分が選択的に第２フィルタを通過するから、再生信号に応じた音響による騒音の発生を抑制することが可能になる。
【０００９】
本発明の好適な態様に係るヘッドホンは、収音機器で収音した音響から抽出される指示情報に応じて動作可能な外部機器に提供される指示情報を含む変調信号と、再生対象音を表す再生信号とを含有する音響信号を再生装置から受信する入力部と、前記入力部が受信した音響信号のうち少なくとも前記変調信号に応じた音響を放音する第１放音部と、利用者の耳に装着され、前記入力部が受信した音響信号のうち少なくとも前記再生信号に応じた音響を放音する第２放音部とを具備する。以上の構成では、入力部によって受信された音響信号のうち、少なくとも変調信号に応じた音響は第１放音部によって放音され、少なくとも再生信号に応じた音響は第２放音部によって放音される。以上の構成によっても、ヘッドホンを装着した状態での再生音の聴取と、利用者が保有する機器における音響通信とを並列的に実行することが可能になるという上述した効果を奏することが可能である。また、変調信号に応じた音響を放音する第２放音部がヘッドホンに搭載されるから、放音装置とヘッドホンとを個別に設けた構成と比較して装置構成を簡略化することが可能になる。また、ヘッドホンと放音装置とが一体に構成されるから、放音装置とヘッドホンとを利用者が個別に取扱う煩雑さが低減される。
【００１０】
以上の各態様に係る音響処理装置は、専用の電子回路で実現されるほか、ＣＰＵ（Central Processing Unit）等の汎用の演算処理装置とプログラムとの協働によっても実現される。本発明のプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。なお、例えば、本発明のプログラムは、通信網を介した配信の形態で提供されてコンピュータにインストールされ得る。また、以上の各態様に係る音響処理装置の動作方法（音響処理方法）としても本発明は特定される。
【図面の簡単な説明】
【００１１】
【図１】第１実施形態の再生システム１の構成を示す図である。
【図２】再生信号ＳAおよび変調信号ＡDの周波数帯域の説明図である。
【図３】音響信号Ｓの生成処理の説明図である。
【図４】第１実施形態の放音装置２００のブロック図である。
【図５】第１実施形態におけるフィルタ２０４およびフィルタ２１２の特性図である。
【図６】第１実施形態の端末装置３００のブロック図である。
【図７】関連情報テーブルＴB1のデータ構造の説明図である。
【図８】提示部３０８に提示された関連情報Ｇの説明図である。
【図９】第２実施形態の再生システム１の構成を示す図である。
【図１０】第２実施形態のヘッドホン４００のブロック図である。
【図１１】変形例の放音装置２００のブロック図である。
【発明を実施するための形態】
【００１２】
＜第１実施形態＞
図１は、第１実施形態の再生システム１の構成図である。再生システム１は、再生装置１００と放音装置２００と端末装置３００とヘッドホン４００とを含んで構成される。再生装置１００と放音装置２００とはケーブル１０を介して相互に電気的に接続される。他方、放音装置２００とヘッドホン４００とはケーブル２０を介して相互に電気的に接続される。再生システム１は、音楽や動画等のコンテンツを再生するとともに当該コンテンツに関連する情報（以下「関連情報」という）Ｇを端末装置３００の利用者Ｕに提示するシステムである。関連情報Ｇの具体例としては、例えば、コンテンツに関連する特典を示す文字列や画像（例えば、クーポンや割引チケット）等がある。
【００１３】
再生装置１００は、音響の時間波形を表す音響信号Ｓを出力する。第１実施形態の再生装置１００は、音楽や動画等のコンテンツを示すファイルＡをコンテンツサーバー６００から通信網を介して受信し、ファイルＡに包含される音響信号Ｓを順次に出力する。なお、可搬型の記録媒体に格納されたファイルＡに包含される音響信号Ｓを再生装置１００が順次に出力することも可能である。
【００１４】
音響信号Ｓは、図２に例示される通り、音楽や動画の音声等の利用者Ｕによる聴取の目的となる音響（再生対象音）を表す周波数帯域Ｂ1の再生信号ＳAと、指示情報Ｄを含む周波数帯域Ｂ2の音響信号（以下「変調信号」という）ＡDとを包含する。指示情報Ｄは、端末装置３００に提供される関連情報Ｇに固有に付与された識別符号である。具体的には、相異なる関連情報Ｇの間で相互に重複しないように公知の方法で生成された乱数の系列が指示情報Ｄとして関連情報Ｇ毎に設定される。
【００１５】
図３は、音響信号Ｓの生成処理の説明図である。音響信号Ｓは、例えば、変調処理部８１０と混合処理部８２０とを包含する信号合成装置８００によって生成される。変調処理部８１０は、拡散符号を利用した指示情報Ｄの拡散変調と所定の周波数の搬送波を利用した周波数変換とを順次に実行することで、指示情報Ｄを特定の周波数帯域Ｂ2の音響成分として含有する変調信号ＡDを生成する。変調信号ＡDの周波数帯域Ｂ2は、放音装置２００による放音と端末装置３００による収音とが可能な周波数帯域であり、かつ、利用者Ｕが通常の環境で聴取する音声や楽音等の音響の周波数帯域（例えば可聴域内の約１６ｋＨｚ以下）を上回る周波数帯域（例えば１８ｋＨｚ以上かつ２０ｋＨｚ以下）の範囲内に包含される。
【００１６】
混合処理部８２０は、再生対象音を表す再生信号ＳAと、変調処理部８１０によって生成された変調信号ＡDとを混合（典型的には加算）することで音響信号Ｓを生成する。再生信号ＳAの周波数帯域Ｂ1は、利用者Ｕが聴取可能な周波数帯域（例えば１６ｋＨｚ以下）である。以上の手順で生成された音響信号Ｓを包含するファイルＡがコンテンツサーバー６００に事前に格納されて再生装置１００からの要求に応じて提供される。なお、再生信号ＳAに対する指示情報Ｄの重畳（音響透かし）については、例えば国際公開第２０１０／０１６５８９号にも詳細に開示されている。
【００１７】
図１の再生装置１００から出力された音響信号Ｓは放音装置２００に供給される。放音装置２００は、再生装置１００から供給される音響信号Ｓのうち、変調信号ＡDに応じた音響を放音するとともに、再生信号ＳAを含む音響信号をヘッドホン４００に出力する。
【００１８】
＜放音装置２００＞
図４は、放音装置２００の構成を示すブロック図である。放音装置２００は、図４に例示される通り、入力部２０２とフィルタ２０４と増幅部２０６と放音部２０８と出力部２１０とフィルタ２１２とを含んで構成される。ケーブル１０の一端側の端子１０Aは再生装置１００に接続され、ケーブル１０の他端側の端子１０Bは放音装置２００に接続される。
【００１９】
入力部２０２は、再生対象音を表す再生信号ＳAと、指示情報Ｄを含む変調信号ＡDとを含有する音響信号Ｓを再生装置１００から受信する。入力部２０２は、例えば、ケーブル１０の端子１０Bが接続される入力端子である。入力部２０２が受信した音響信号Ｓは、フィルタ２０４およびフィルタ２１２の双方に供給される。フィルタ２０４およびフィルタ２１２は、入力部２０２から供給される音響信号Ｓのうち特定の周波数帯域の成分を抽出する帯域通過フィルタである。フィルタ２０４とフィルタ２１２とで通過帯域は相違する。
【００２０】
図５は、第１実施形態のフィルタ２０４およびフィルタ２１２の特性図である。フィルタ２０４（第２フィルタ）は、入力部２０２が受信した音響信号Ｓのうち高域側の周波数帯域Ｑ2（第２周波数帯域）の周波数成分を維持するとともに、周波数帯域Ｑ1の低域側の周波数帯域の周波数成分を抑圧することで音響信号Ｓ1を生成する高域通過フィルタ（ＨＰＦ）である。図５に例示される通り、周波数帯域Ｑ2は、変調信号ＡDの周波数帯域Ｂ2を包含する。したがって、フィルタ２０４による処理後の音響信号Ｓ1には、周波数帯域Ｂ2の変調信号ＡDが優勢に含有され、周波数帯域Ｂ1の再生信号ＳAは充分に抑圧されている。フィルタ２０４による処理後の音響信号Ｓ1は、増幅部２０６によって所定の利得で増幅されて音響信号Ｓ2として放音部２０８に供給される。放音部２０８は、増幅部２０６から出力された音響信号Ｓ2に応じた音響を放音する。以上の説明から理解される通り、空気振動としての音響を伝送媒体とした音響通信で、変調信号ＡDに含まれた指示情報Ｄが放音装置２００から端末装置３００に通知される。
【００２１】
他方、フィルタ２１２（第１フィルタ）は、入力部２０２が受信した音響信号Ｓのうち低域側の周波数帯域Ｑ1（第１周波数帯域）の周波数成分を維持するとともに、周波数帯域Ｑ1の高域側の周波数帯域の周波数成分を抑圧することで音響信号Ｓ3を生成する低域通過フィルタ（ＬＰＦ）である。図５に例示される通り、周波数帯域Ｑ1は、再生信号ＳAの周波数帯域Ｂ1を包含する。したがって、フィルタ２１２による処理後の音響信号Ｓ3には、周波数帯域Ｂ1の再生信号ＳAが優勢に含有され、周波数帯域Ｂ2の変調信号ＡDは充分に抑圧されている。
【００２２】
フィルタ２１２による処理後の音響信号Ｓ3は出力部２１０に供給される。出力部２１０は、例えば、ケーブル２０の端子２０Aが接続される出力端子である。音響信号Ｓ3は、出力部２１０からケーブル２０の端子２０Bを介してヘッドホン４００に出力される。ヘッドホン４００は、放音装置２００から供給される音響信号Ｓ3に応じた音響を放音する。ヘッドホン４００は、図１に例示される通り、放音部４０４Lおよび放音部４０４Rにより利用者Ｕの両耳に装着されるから、音響信号Ｓ3に応じた音響（再生信号ＳA）は外部に殆ど放射されない。
【００２３】
＜端末装置３００＞
図１の端末装置３００は、利用者Ｕが携行する可搬型の通信端末（例えば携帯電話機やスマートフォン）であり、放音装置２００（放音部２０８）によって放音された音響から指示情報Ｄを抽出し、当該指示情報Ｄに応じて動作する。本実施形態では、指示情報Ｄに対応する関連情報Ｇを情報提供サーバー５００から通信網（例えば移動通信網やインターネット）７００を介して受信するとともに、受信された関連情報Ｇを再生（放音または表示）する。
【００２４】
図６は、端末装置３００の構成を示すブロック図である。図６に例示される通り、端末装置３００は、収音装置３０２と特定部３０４と取得部３０６と提示部３０８とを具備する。収音装置３０２は、周囲の音響を収音する音響機器（マイクロホン）であり、放音装置２００の放音部２０８から放音された音響を収音し、当該音響の時間波形を表す音響信号（以下「収音信号」という）Ｘを生成する。収音信号Ｘは、指示情報Ｄの音響成分を含有する。なお、収音装置３０２が生成した収音信号Ｘをアナログからデジタルに変換するＡ/Ｄ変換器の図示は便宜的に省略されている。
【００２５】
特定部３０４は、収音装置３０２が生成した収音信号Ｘの復調で指示情報Ｄを抽出する。具体的には、特定部３０４は、収音信号Ｘのうち指示情報Ｄを含む周波数帯域Ｂ2の帯域成分を例えば高域通過フィルタで選択し、指示情報Ｄの拡散変調に利用された拡散符号を係数とする整合フィルタを通過させることで指示情報Ｄを抽出する。
【００２６】
取得部３０６は、移動通信網やインターネット等の通信網７００（図１参照）を介して情報提供サーバー５００と通信する通信機器である。取得部３０６は、特定部３０４が収音信号Ｘから抽出した指示情報Ｄを含む情報要求Ｒを情報提供サーバー５００に送信する一方、情報要求Ｒに応じて情報提供サーバー５００から送信された関連情報Ｇを受信する。
【００２７】
情報提供サーバー５００は、図７の関連情報テーブルＴB1を保持する。関連情報テーブルＴB1は、指示情報Ｄ（Ｄ1，Ｄ2，……）と関連情報Ｇ（Ｇ1，Ｇ2，……）とを対応付ける。情報提供サーバー５００は、指示情報Ｄを含む情報要求Ｒを端末装置３００から受信すると、関連情報テーブルＴB1のうち情報要求Ｒ内の指示情報Ｄに対応付けられた関連情報Ｇを読み出すとともに情報要求Ｒの送信元の端末装置３００に当該関連情報Ｇを送信する。図６の提示部３０８は、取得部３０６によって取得された関連情報Ｇを例えば表示装置に表示させて利用者Ｕに提示する。
【００２８】
図８は、提示部３０８による関連情報Ｇの表示例の説明図である。図８では、端末装置３００の提示部３０８によって提示された関連情報Ｇを示す文字列（図の例示ではクーポン）が例示される。利用者Ｕは、ヘッドホン４００から放音された音響（再生音）を聴取する一方で、提示された関連情報Ｇを視覚的に確認することが可能である。
【００２９】
以上の説明から理解される通り、第１実施形態では、変調信号ＡDを包含する音響信号Ｓ2に応じた音響が放音部２０８から放音される一方、再生信号ＳAを包含する音響信号Ｓ3が出力部２１０からヘッドホン４００に出力される。したがって、ヘッドホン４００を装着した利用者Ｕは、放音された再生音を聴取しながら、自身が携行する端末装置３００で指示情報Ｄを受信することが可能である。すなわち、第１実施形態によれば、ヘッドホン４００を装着した状態での再生音の聴取と、利用者Ｕが携行する端末装置３００における音響通信とを並列的に実行することが可能である。
【００３０】
また、再生装置１００が出力する音響信号Ｓのうち再生対象音を示す再生信号ＳAの周波数帯域Ｂ1はフィルタ２０４で抑圧されるから、放音部２０８によって放音される音響には再生対象音（音楽や動画等）が包含されない。したがって、再生対象音の放音による騒音の発生を抑制することが可能である。
【００３１】
なお、変調信号ＡDの周波数帯域Ｂ2は、利用者Ｕが通常の環境で聴取する音声や楽音等の音響の周波数帯域を上回り殆ど知覚されない周波数帯域ではあるが、実際には周波数帯域Ｂ2の音響を聴取できる利用者Ｕも存在する。第１実施形態では、音響信号Ｓのうち変調信号ＡDの周波数帯域Ｂ2はフィルタ２１２で抑圧されるから、ヘッドホン４００によって放音される音響に変調信号ＡDの音響は包含されない。したがって、周波数帯域Ｂ2の音響を聴取できる利用者Ｕでも、当該音響の聴取による違和感や不快感を知覚することなく、再生対象音を聴取できるという利点がある。
【００３２】
＜第２実施形態＞
本発明の第２実施形態を以下に説明する。第１実施形態では、ヘッドホン４００とは別体の放音装置２００を例示した。第２実施形態は、放音装置２００がヘッドホン４００に組み込まれる点で第１実施形態と相違する。なお、以下に例示する各形態において作用や機能が第１実施形態と同様である要素については、第１実施形態の説明で使用した符号を流用して各々の詳細な説明を適宜に省略する。
【００３３】
図９は、第２実施形態の再生システム１の構成図である。第２実施形態の再生システム１は、再生装置１００と端末装置３００とヘッドホン４００とを含んで構成される。再生装置１００とヘッドホン４００とはケーブル１０を介して相互に電気的に接続される。第２実施形態のヘッドホン４００は放音装置２００を包含する。
【００３４】
図１０は、第２実施形態のヘッドホン４００のブロック図である。図１０に例示される通り、ヘッドホン４００は、入力部４０６と放音装置２００と信号供給部４０８と放音部４０４（第２放音部）とを含んで構成される。ケーブル１０の一端側の端子１０Aは再生装置１００に接続され、ケーブル１０の他端側の端子１０Bはヘッドホン４００に接続される。放音部４０４は利用者Ｕによって耳に装着される。放音部４０４は、ステレオの右チャンネルに対応した放音部４０４Rと、左チャンネルに対応した放音部４０４Lとを包含する。以降の説明では、放音部４０４Rと放音部４０４Lとを特に区別する必要がない場合は「放音部４０４」と称する。
【００３５】
入力部４０６は、再生対象音を示す再生信号ＳAと指示情報Ｄを含む変調信号ＡDとを含有する音響信号Ｓを再生装置１００から受信する。入力部４０６が受信した音響信号Ｓは、放音装置２００（フィルタ２０４およびフィルタ２１２）に供給される。
【００３６】
図１０に例示される通り、第２実施形態の放音装置２００はフィルタ２０４と増幅部２０６と放音部２０８（第１放音部）とフィルタ２１２とを含んで構成される。第２実施形態の放音装置２００では、第１実施形態の放音装置２００の構成要素のうち入力部２０２と出力部２１０とが省略される。放音部２０８は、音響信号Ｓのうち、変調信号ＡDの周波数帯域Ｂ2を包含する周波数帯域Ｑ2の音響信号Ｓ2に応じた音響を放音する。フィルタ２０４と増幅部２０６と放音部２０８とフィルタ２１２の各要素については第１実施形態と同様であるので詳細な説明を省略する。
【００３７】
信号供給部４０８は、フィルタ２１２による処理後の信号、すなわち、再生信号ＳAの周波数帯域Ｂ1を包含する周波数帯域Ｑ1の音響信号Ｓ3（Ｓ3R，Ｓ3L）を、放音部４０４（４０４R，４０４L）にそれぞれ供給する。放音部４０４は、音響信号Ｓ3に応じた音響を放音する。
【００３８】
以上の説明から理解される通り、第２実施形態の構成では、変調信号ＡDの周波数帯域Ｂ2を包含する周波数帯域Ｑ2の音響信号Ｓ2が放音部２０８（第１放音部）から外部空間に放音される一方で、再生信号ＳAの周波数帯域Ｂ1を包含する周波数帯域Ｑ1の音響信号Ｓ3が放音部４０４（第２放音部）から利用者Ｕに対して放音される。したがって、第２実施形態の構成によっても、ヘッドホン４００を装着した状態での再生音の聴取と、端末装置３００における音響通信とが並列的に実現されるという上述した効果を奏することが可能である。また、第２実施形態では、放音装置２００がヘッドホン４００に包含されるから、第１実施形態における再生システム１の構成要素のうち、ケーブル２０、入力部２０２、出力部２１０を省略することが可能になる。したがって、放音装置２００とヘッドホン４００とを個別に設ける構成と比較して、装置構成を簡略化することができるという利点がある。また、ヘッドホン４００と放音装置２００とが一体に構成されるから、放音装置２００とヘッドホン４００とを利用者が個別に取扱う煩雑さが低減される。
【００３９】
＜変形例＞
以上に例示した各態様は多様に変形され得る。具体的な変形の態様を以下に例示する。以下の例示から任意に選択された２個以上の態様は、相互に矛盾しない範囲で適宜に併合され得る。
【００４０】
（１）前述の各形態では、変調信号ＡDの周波数帯域Ｂ2を含む周波数帯域Ｑ2の成分を抑圧するフィルタ２１２（ＬＰＦ）を放音装置２００に設けた構成を例示したが、周波数帯域Ｂ2の周波数成分は利用者Ｕに殆ど知覚されないという事情を考慮すると、図１１に例示される通り、フィルタ２１２を省略することも可能である。図１１の構成では、指示情報Ｄを含む周波数帯域Ｂ2の変調信号ＡDと、周波数帯域Ｂ1の再生信号ＳAとを包含する音響信号Ｓがヘッドホン４００に出力される。
【００４１】
（２）前述の各形態では、再生信号ＳAの周波数帯域Ｂ1を含む周波数帯域Ｑ1の成分を抑圧するフィルタ２０４を放音装置２００に設けた構成を例示したが、放音部２０８の再生帯域が周波数帯域Ｂ1を包含しない場合（例えば放音部２０８であるスピーカの口径が小さいために周波数帯域Ｂ1の音響を再生できない場合）や、放音部２０８による再生信号ＳAの再生が特段の問題（典型的には騒音）にならない場合には、フィルタ２０４を省略することも可能である。
【００４２】
（３）フィルタ２０４およびフィルタ２１２は、受動素子を利用したパッシブフィルタ（Passive filter）、および、能動素子を利用したアクティブフィルタ（Active Filter）のうちいずれを利用した構成であってもよい。パッシブフィルタを用いた構成は、電源の供給が不要となるから装置構成の小型化および簡素化を図ることができる。他方、アクティブフィルタを用いた構成は、電力を要する信号処理に好適である。
【００４３】
（４）前述の各形態では、指示情報Ｄに応じて動作する機器として、収音装置３０２を具備する端末装置３００を例示したが、指示情報Ｄの内容および送信先の機器は以上の例示に限定されない。例えば、照明機器の動作を指示する指示情報Ｄを放音装置２００から音響通信で照明機器に送信することも可能である。例えば、利用者がヘッドホン４００を装着して動画を聴取する一方で、照明装置の点灯／消灯や点灯時の明度等を指示する指示情報Ｄを含む音響信号Ｓ2が放音装置２００から放音される。照明機器は、収音信号Ｘから抽出した指示情報Ｄに対応する制御情報Ｇを取得し、制御情報Ｇで指定される制御を実行する。以上の構成では、利用者が聴取する動画のシーンに応じて、照明をオンオフさせたり、室内の明るさを変化させたりすることが可能である。したがって、利用者による再生音の聴取に臨場感を付与することが可能になる。以上の例示から理解される通り、指示情報Ｄは、外部機器（端末装置３００や照明機器）の動作を指示する情報として包括的に表現される。
【００４４】
（５）前述の各形態ではコンテンツに関連する特典を示す文字列や画像（例えば、クーポンや割引チケット）等を関連情報Ｇの具体例として例示したが、関連情報Ｇの内容は以上の例示に限定されない。例えば、コンテンツを他言語に翻訳した音声や文字列、変形例（３）に例示される機器の制御情報や機器の動作モードを規定するモード情報や状態情報等が包含される。
【００４５】
（６）前述の各形態では、端末装置３００の取得部３０６が、指示情報Ｄを含む情報要求Ｒを情報提供サーバー５００に送信する一方、情報要求Ｒに応じて情報提供サーバー５００から送信された関連情報Ｇを受信する構成を例示したが、端末装置３００における関連情報Ｇの取得の方法は以上の例示に限定されない。例えば、端末装置３００の記憶装置に関連情報テーブルＴB1を格納し、指示情報Ｄに対応する関連情報Ｇを取得部３０６が記憶装置から取得してもよい。
【００４６】
（７）第１実施形態では、ヘッドホン４００の接続方法の一例としてケーブルによる接続を例示したが、ワイヤレス（コードレス）形式のヘッドホン４００を用いた構成も好適に採用され得る。例えば、放音装置２００（再生装置１００）とヘッドホン４００との間で、赤外線や電波を含む電磁波を利用した無線通信（例えば近距離無線通信）によりヘッドホン４００に音響信号を供給する構成としてもよい。以上の構成によれば、ケーブル１０およびケーブル２０が不要であるから、装置構成が簡略化される。
【００４７】
（８）前述の各形態では、ヘッドホンの駆動方式としては、コイルに取り付けた振動板を振動させるダイナミック型、磁石に取り付けた固定コイルに電流を流して磁石の吸引力を変化させて振動板を兼ねる鉄片を振動させるマグネチック型等、任意の形式が採用され得る。また、利用者Ｕの頭部に装着されて各放音部４０４が利用者Ｕの両耳を覆う構成のヘッドホン４００のほか、各放音部４０４が利用者Ｕの両耳に挿入される構成（インナーイヤー型ないしカナル型）のイヤホンも、本発明のヘッドホンの概念に包含される。
【００４８】
１……再生システム、１０……ケーブル、１０A……入力端子、１０B……入力端子、２０……ケーブル、２０A……入力端子、２０B……入力端子、１００……再生装置、２００……放音装置、２０２……入力部、２０４……フィルタ（ＨＰＦ）、２０６……増幅部、２０８……放音部、２１０……出力部、２１２……フィルタ（ＬＰＦ）、３００……端末装置、３０２……収音装置、３０４……特定部、３０６……取得部、３０８……提示部、４００……ヘッドホン、４０４L……放音部、４０４R……放音部、４０６……入力部、４０８……信号供給部、５００……情報提供サーバー、６００……コンテンツサーバー、７００……通信網、８００……信号合成装置、８１０……変調処理部、８２０……混合処理部。
【図１】
0006357970.tif 000002
【図２】
0006357970.tif 000003
【図３】
0006357970.tif 000004
【図４】
0006357970.tif 000005
【図５】
0006357970.tif 000006
【図６】
0006357970.tif 000007
【図７】
0006357970.tif 000008
【図８】
0006357970.tif 000009
【図９】
0006357970.tif 000010
【図１０】
0006357970.tif 000011
【図１１】
0006357970.tif 000012